(57)【要約】    【課題】巻き付けられた釣糸を確実に保持することができるコスト安価な釣糸用スプールの提供。    【解決手段】この釣糸用スプール１０は、コア１１とフランジ１２，１３と扉１４，１５とを備える。これらは一体的に形成されている。フランジ１２，１３のそれぞの外周面に扉１４、１５が設けられている。扉１４，１５は、互いに当接しあう閉姿勢と離反しあう開姿勢との間で姿勢変化する。フランジ１２，１３は、円形に形成され、扉１４，１５は、弾性を有する円盤からなる。扉１４，１５は、閉姿勢となったときに互いの先端が押圧し合うように湾曲されている。扉１４，１５の先端に釣糸を挟持する挟持板２１，２２が設けられている。コア１１、フランジ１２，１３及び扉１４，１５は、生分解性樹脂からなる。【選択図】図２
2006223127.tif 000002
【特許請求の範囲】
【請求項１】
円筒状に形成されたコア部と、
コア部の両端面に設けられた一対のフランジ部と、
各フランジ部の外周面にそれぞれ設けられ、コア部及び各フランジ部と協働して釣糸収容室を区画する一対の扉部材とを有し、
当該一対の扉部材は、それぞれの先端が互いに当接する閉姿勢と互いに離反する開姿勢との間で姿勢変化可能なようにそれぞれの基端が上記各フランジ部の外周面に回動自在に設けられている釣糸用スプール。
【請求項２】
上記各フランジ部は、円形に形成され、
上記各扉部材は、弾性を有する円盤からなる請求項１に記載の釣糸用スプール。
【請求項３】
上記各扉部材は、閉姿勢となったときに互いの先端が押圧し合うように湾曲形成されている請求項２に記載の釣糸用スプール。
【請求項４】
上記各扉部材の先端に釣糸を挟持し得る挟持板が設けられている請求項１から３のいずれかに記載の釣糸用スプール。
【請求項５】
上記コア部、フランジ部及び扉部材は、樹脂により一体的に成形されている請求項１から４のいずれかに記載の釣糸用スプール。
【請求項６】
上記樹脂は、生分解性樹脂である請求項５に記載の釣糸用スプール。
【発明の詳細な説明】
【技術分野】
【０００１】
本発明は、長尺の釣糸が巻回される釣糸用スプールの構造に関するものである。
【背景技術】
【０００２】
一般に釣糸は、定尺寸法（５０ｍ〜２００ｍ程度）に切断され、これが釣糸用スプールに巻き取られた状態で販売され、使用される。釣糸用スプールは、一般にボビン状に形成されており、釣糸が巻き付けられる円筒部と、この円筒部の両端部に設けられたフランジ部とを有する。釣糸がいわゆる道糸として使用されるときは、釣糸用スプールに巻き取られた全部の釣糸が一時に使用されるが、例えば、釣糸がハリスとして使用されるときは、釣人は、釣糸用スプールから所要長さだけ釣糸を引き出して使用し、残りの釣糸は、その端部が当該釣糸用スプールに係止された状態で保存される。
【０００３】
釣糸が釣糸用スプールによって保存される場合は、釣糸の端部が釣糸用スプールに係止されていなければならない。このため、従来の釣糸用スプールは、釣糸の端部を係止するための係止部ないし係止具を備えているものがあり、当該係止部ないし係止具の形状、構造については、種々提案されている（例えば、特許文献１〜特許文献５参照）。
【０００４】
【特許文献１】特開２００４−１５４１５２公報
【特許文献２】特開２００３−１６４２４５公報
【特許文献３】特開２００１−２１１７９９公報
【特許文献４】特開２００１−１４８９８８公報
【特許文献５】特開平９−２４０９２６号公報
【発明の開示】
【発明が解決しようとする課題】
【０００５】
ところで、従来の上記係止部は、典型的には、釣糸用スプールに設けられたスリットから構成される。具体的には、釣糸用スプールに巻き付けられた釣糸は、その端部が当該釣糸用スプールのフランジに形成されたスリットに挟み込まれることによって保持される。しかし、この釣糸用スプールが例えば釣人が着用するウェアのポケットに収容されたときには、上記釣糸が上記スリットから外れてしまうことがある。
【０００６】
一方、従来の上記係止具は、例えば釣糸用スプールを収容するスプールケースから構成されている（特許文献３）。このスプールケースは、二分割されており、互いに対向して嵌め合わされることによって釣糸用スプールを囲繞する。釣糸用スプールに巻き付けられた釣糸は、その端部がスプールケースの嵌合部に挟み込まれて保持される。また、従来の上記係止具は、例えば釣糸用スプールに嵌め合わせられる糸止めバンドから構成されているものもある（特許文献１）。この糸止めバンドは、釣糸用スプールに巻き付けられた釣糸を覆うように釣糸用スプールに嵌め合わされ、これにより、釣糸が保持される。釣糸用スプールに巻き付けられた釣糸は、その端部が糸止めバンドに設けられた釣糸導出孔から引き出される。
【０００７】
上記のようなスプールケース又は糸止めバンドは、上記釣糸を保護すると共に確実に保持することができる。しかし、スプールケース及び糸止めバンドは、通常樹脂からなり、釣糸用スプールとは別部品として構成されるものであり、しかも、釣糸がすべて使用された後にはゴミとして廃棄されるものであることから、環境保全、資源の有効活用の観点からできるかぎり無くすことが要請される。加えて、これらスプールケース及び糸止めバンドが設けられることにより、製品としての釣糸（釣糸用スプール及びこれに巻き付けられた釣糸）の製造コストが大幅に上昇するという問題もある。
【０００８】
そこで、本発明の目的は、巻き付けられた釣糸を確実に保持することができるコスト安価な釣糸用スプールを提供することである。
【課題を解決するための手段】
【０００９】
(1) 上記目的が達成されるため、本発明に係る釣糸用スプールは、円筒状に形成されたコア部と、コア部の両端面に設けられた一対のフランジ部と、各フランジ部の外周面にそれぞれ設けられ、コア部及び各フランジ部と協働して釣糸収容室を区画する一対の扉部材とを有し、当該一対の扉部材は、それぞれの先端が互いに当接する閉姿勢と互いに離反する開姿勢との間で姿勢変化可能なようにそれぞれの基端が上記各フランジ部の外周面に回動自在に設けられていることを特徴とするものである。
【００１０】
この構成によれば、釣糸は、コア部の外周面に巻き付けられて釣糸収容室内に収容される。一対の扉部材は、その基端を中心として回動することができ、容易に開姿勢となる。一対の扉部材が開姿勢に姿勢変化することにより、釣糸は、簡単にコア部に巻き付けられる。釣糸のコア部への巻付作業は、例えば既知の釣糸巻取装置等により行われる。また、一対の扉部材は、その基端を中心として回動することによって簡単に閉姿勢に姿勢変化することができる。これにより、釣糸収容室が閉塞されると共にコア部に巻き付けられた釣糸の端部が当該一対の扉部材によって挟み込まれる。したがって、この釣糸の端部が確実に保持され、釣糸が釣糸収容室内で絡み合うことが防止されると共に、紫外線その他の釣糸を劣化させる要因から保護される。しかも、一対の扉部材は、フランジ部に対して回動するように設けられているだけであるから、当該扉部材は、簡単且つ安価に構成され得る。
【００１１】
(2) 上記各フランジ部が円形に形成され、上記各扉部材が弾性を有する円盤から構成されているのが好ましい。この場合は、フランジ部及び扉部材の形状がきわめて簡単であるから、釣糸用スプールの製造コストがさらに低減される。
【００１２】
(3) 上記各扉部材は、閉姿勢となったときに互いの先端が押圧し合うように湾曲形成されているのが好ましい。この構成では、各扉部材が閉姿勢に姿勢変化されるだけで、釣糸が自動的に一対の扉部材によって弾性的に挟持される。これにより、当該釣糸の端部は、挟持されることによる損傷を受けることなく確実に保持される。
【００１３】
(4) 上記各扉部材の先端に釣糸を挟持し得る挟持板が設けられていてもよい。これにより、釣糸の端部は、より確実に挟持される。したがって、釣糸用スプールが、例えば釣人が着用するウェアのポケットに収容されている場合であっても、釣糸の端部の扉部材からの脱落が抑制される。
【００１４】
(5) 上記コア部、フランジ部及び扉部材は、樹脂により一体的に成形されているのが好ましい。この構成では、上記扉部材がフランジ部等と一体的に形成されるから、釣糸用スプールの製造コストは、きわめて低くなる。
【００１５】
(6) 上記コア部、フランジ部及び扉部材を構成する樹脂は、生分解性樹脂であるのが好ましい。釣糸用スプールは、釣糸がすべて使用された後は、ゴミとして廃棄される。したがって、釣人は、釣糸用スプールをゴミとしてきちんと処理する責任を有するが、万一、不注意により釣場に置き忘れてしまった場合等であっても、釣糸用スプールが自然界で分解されるので、環境への悪影響は小さい。
【発明の効果】
【００１６】
本発明によれば、フランジ部に回動自在に設けられた扉部材によって、釣糸が挟持されると共にコア部に巻き付けられた釣糸が保護される。換言すれば、上記扉部材が、釣糸を保護するケースと釣糸の端部を保持する保持具とを兼ねており、その結果、釣糸の保護と釣糸の端部の保持を実現するコスト安価な釣糸用スプールが提供される。
【発明を実施するための最良の形態】
【００１７】
以下、適宜図面が参照されつつ、好ましい実施形態に基づいて本発明が詳細に説明される。
【００１８】
＜第１の実施形態＞
図１は、本発明の第１の実施形態に係る釣糸用スプールの斜視図である。また、図２は、図１におけるII−II断面図であり、釣糸用スプールの縦断面図である。この釣糸用スプール１０は、定尺寸法（例えば１０ｍ〜２００ｍ程度）に切断された釣糸を巻き取って保持するものである。この釣糸用スプール１０に巻き取られた釣糸は、製品としての道糸やハリスとして販売される。
【００１９】
この釣糸用スプール１０は、コア１１（コア部材）と、フランジ１２、１３（フランジ部）と、扉１４、１５（扉部材）とを備えている。これらコア１１、フランジ１２、１３、及び扉１４、１５は、樹脂により一体的に形成されている。これらコア１１等を構成する樹脂は、典型的には、ＳＢＣ樹脂（スチレン・ブタジエン・ブロック共重合体）が採用されるが、耐衝撃性、ヒンジ性に優れた樹脂であれば、他のものが採用されてもよい。また、生分解樹脂が採用されてもよいことは勿論である。なお、本実施形態では、コア１１、フランジ１２、１３及び扉１４、１５が一体的に形成されているが、これらが別部材として構成されることも可能である。
【００２０】
コア１１は、円筒状に形成されている。このコア１１の外周面に釣糸が巻き取られるようになっている。また、フランジ１２は、本実施形態では円形に形成されている。フランジ１２は、コア１１の一端面に連続して設けられており、コア１１の径方向外側に延びている。フランジ１３は、フランジ１２と同一形状であり、コア１１の他端面に連続して設けられている。なお、コア１１の形状は円筒状に限定されることはなく、一般に筒状に形成されていればよい。また、フランジ１２の形状も円形に限定されるものではなく、要するに、コア１１の両端部から径方向外方へ突出する鍔状に形成されていればよい。
【００２１】
扉１４及び扉１５は、それぞれ、フランジ１２の外周面１６及びフランジ１３の外周面１７に設けられている。本実施形態では、扉１４は円盤からなり、その基端部１８がフランジ１２の外周面１６に回動自在に連結されている。この連結部は、扉１４の肉厚寸法が小さく設定されており、これにより、扉１４は、図２おいて実線で示された位置と二点鎖線で示された位置との間で揺動することができるようになっている。扉１４も上記樹脂から構成されるので、扉１４は弾性を備える。したがって、扉１４は、上記実線で示された位置と二点鎖線で示された位置との間で円滑に揺動することができる。また、扉１５は、扉１４と左右対称に形成されており、扉１５の基端部１９がフランジ１３の外周面１７に回動自在に連結されている。扉１５も、図２おいて実線で示された位置と二点鎖線で示された位置との間で揺動することができるようになっている。扉１５も扉１４と同様に弾性を備える。したがって、扉１５は、上記実線で示された位置と二点鎖線で示された位置との間で円滑に揺動することができる。
【００２２】
扉１４及び扉１５が揺動することによって、扉１４、１５の姿勢が変化する。すなわち、扉１４及び扉１５は、両者が互いに接近して先端部同士が当接した姿勢（閉姿勢）と、両者が互いに離反した姿勢（開姿勢）との間で自由に姿勢変化する。図１及び図２は、扉１４、１５が閉姿勢となった状態を図示している。扉１４、扉１５が閉姿勢となったときは、各扉１４、１５は、コア１１及びフランジ１２、１３と協働して釣糸収容室２０を区画形成する。この釣糸収容室２０は、コア１１に巻き取られた釣糸を収容する。もっとも、この釣糸収容室２０は、扉１４、１５が開姿勢となることによって開放される。釣糸収容室２０が開放されることにより、釣糸は、簡単にコア１１に巻き付けられる。
【００２３】
本実施形態では、扉１４、扉１５は、図２が示すように湾曲形成されている。具体的には、扉１４及び扉１５を構成する円盤は、フランジ１２、１３の径方向外方に凸となるように湾曲されている。このように扉１４、扉１５が湾曲されることにより、両者が上記閉姿勢となったときは、先端部同士が一定の押圧力で押しつけ合うことになる。また、扉１４、扉１５が開姿勢となったときは、当該開姿勢が自己保持されることになる。さらに、本実施形態では、扉１４、扉１５のそれぞれの先端に挟持板２１、挟持板２２が形成されている。挟持板２１、２２は、リング状に形成されており、後述されるように釣糸を挟持する。
【００２４】
本実施形態に係る釣糸用スプール１０は、次のように使用される。まず、上記扉１４、１５が開姿勢に姿勢変化され、釣糸がコア１１の外周面に巻き付けられて釣糸収容室２０内に収容される。このとき、釣糸が既知の釣糸巻取装置によってコア１１に巻き取られてもよい。その場合には、釣糸用スプール１０は、当該釣糸巻取装置によって保持・回転され、これにより、釣糸がコア１１に巻き取られる。本実施形態に係る釣糸用スプール１０は、円筒状に形成されたコア１１を備えるうえに前述の樹脂から構成されるので、構造物としての釣糸用スプール１０が弾性に優れる。したがって、いわゆる「かせ」がこの釣糸用スプール１０に簡単に保持され、釣人にとって「かせ」の取り扱いが容易となる。
【００２５】
詳述すれば、「かせ」とは、所定の長さに切断され、巻回された状態の釣糸である。この「かせ」は、釣糸用スプールに巻き取られずに釣糸の束として販売されるものであるから、その使用後においてゴミが発生しない。したがって、環境保全が考慮されるならば、釣糸は、「かせ」の状態で取り引きされるのが好ましい。しかしながら、「かせ」は、長尺の釣糸そのものであるから、職業漁師であっても絡み合わないように保存することは難しく、その取り扱いの困難性から一般的な釣道具として普及するには至っていない。ところが、本実施形態に係る釣糸用スプール１０は、前述のように弾性に優れるから、例えば、釣人が釣糸用スプール１０を捻ることによって容易に弾性的に変形させることが可能である。そして、釣糸用スプール１０がそのように弾性変形された場合には、当該釣糸用スプール１０のコア１１に「かせ」が容易に嵌め込まれる。したがって、本実施形態に係る釣糸用スプール１０は、「かせ」をも簡単に保持することができ、その取り扱いを容易にするものであるから、環境保全に寄与し得る「かせ」の普及を促進することが可能である。
【００２６】
釣糸あるいは「かせ」がコア１１に巻き取られると、扉１４、１５は、閉姿勢に姿勢変化される。これにより、釣糸収容室２０が閉塞されると共にコア１１に巻き付けられた釣糸の端部が一対の扉１４、１５によって挟み込まれる。したがって、この釣糸の端部が確実に保持され、当該釣糸が釣糸収容室２０内で絡み合うことが防止される。もっとも、釣人は、この釣糸の端部を引っ張るだけで、釣糸収容室２０から当該釣糸を所望長さだけ引き出すことができる。また、扉１４、１５が閉姿勢となれば、当該釣糸は、紫外線その他の釣糸を劣化させる要因から保護されるという利点もある。加えて、上記一対の扉１４、１５は、フランジ１２、１３に対して回動するように設けられているだけであるから、この扉１４、１５は、簡単且つ安価に構成され得る。
【００２７】
したがって、本実施形態に係る釣糸用スプール１０によれば、簡単且つ安価に構成される扉１４、１５が釣糸を保護するケースと釣糸の端部を保持する保持具とを兼ねることとなり、その結果、釣糸の保護と釣糸の端部の保持を実現するコスト安価な釣糸用スプールが提供される。
【００２８】
本実施形態では、上記各フランジ１２、１３が円形に形成され、これら各フランジ１２、１３に設けられた各扉１４、１５が弾性を有する円盤から構成されている。このため、フランジ１２、１３及び扉１４、１５の形状がきわめて簡単であり、したがって、釣糸用スプール１０の製造コストがさらに低減されるという利点がある。さらに、上記コア１１、フランジ１２、１３及び扉１４、１５が樹脂により一体的に成形されているので、釣糸用スプール１０の製造コストは、きわめて低くなる。
【００２９】
特に、上記扉１４、１５は湾曲形成されているから、これら扉１４、１５が閉姿勢となったときに互いの先端が押圧し合う。これにより、扉１４、１５が閉姿勢となれば、コア１１に巻き取られた釣糸の端部は、自動的に一対の扉１４、１５によって挟持され保持される。しかも、釣糸は、一対の扉１４、１５によって弾性的に挟持されるので、当該釣糸の端部は、挟持されることによる損傷を受けることなく確実に保持される。
【００３０】
また、上記各扉１４、１５は、それぞれ挟持板２１、２２を備えているから、釣糸の端部は、この挟持板２１、２２により確実に挟持され、釣糸が確実に保持される。したがって、釣糸用スプール１０が例えば釣人が着用するウェアのポケットに収容されている場合であっても、釣糸の端部が扉１４、１５の間から容易に脱落してしまうことはないという利点もある。
【００３１】
加えて、釣糸用スプール１０は、釣糸がすべて使用された後は、ゴミとして廃棄されるのであるが、上記コア１１、フランジ１２、１３及び扉１４、１５を構成する樹脂として、生分解性樹脂が採用された場合には、万一、釣人が釣糸用スプール１０を不注意により釣場に置き忘れてしまった場合等であっても、釣糸用スプール１０が自然界で分解されるので、環境への悪影響は小さいという利点もある。
【００３２】
＜第２の実施形態＞
図３は、本発明の第２の実施形態に係る釣糸用スプールの斜視図である。また、図４は、図３におけるIV−IV断面図であり、釣糸用スプールの縦断面図である。この釣糸用スプール３０は、上記第１の実施形態に係る釣糸用スプール１０と同様に、定尺寸法（例えば１０ｍ〜２００ｍ程度）に切断された釣糸を巻き取って保持するものであり、この釣糸用スプール３０に巻き取られた釣糸は、製品としての道糸やハリスとして販売される。本実施形態に係る釣糸用スプール３０が上記釣糸用スプール１０と異なるところは、釣糸用スプール１０の扉１４、１５が湾曲形成されていたのに対し（図２参照）、本実施形態に係る釣糸用スプール３０では、扉３４、３５が湾曲されていない平坦な平板から構成されてる点、及び駆動軸連結ボス３１が設けられている点である。なお、その他の構成については、上記第１の実施形態に係る釣糸用スプール１０と同様である。
【００３３】
駆動軸連結ボス３１は、コア１１の中心に配置されている。駆動軸連結ボス３１は、図３が示すように円筒状に形成されており、駆動軸連結ボス３１の中心とコア１１の中心とが一致している。駆動軸連結ボス３１の内周面に、軸方向に沿ってキー溝３２が設けられている。駆動軸連結ボス３１は、複数（本実施形態では４枚）のリブ３３を介してコア１１に連結されている。これにより、コア１１は、高い剛性が確保されている。したがって、この釣糸用スプール３０は、釣糸巻取装置に対応し得る。すなわち、釣糸巻取装置に釣糸用スプール３０がセットされ、所定のテンションを付加された釣糸が当該釣糸用スプール３０に高速で巻き取られる。このとき、釣糸巻取装置の回転軸は、上記駆動軸連結ボス３１に挿通される。駆動軸連結ボス３１は、上記キー溝３２を備えているから、釣糸巻取装置の回転軸にキーが設けられることにより、当該回転軸に駆動軸連結ボス３１が位置決め固定される。
【００３４】
扉３４及び扉３５は、それぞれ、フランジ１２の外周面１６及びフランジ１３の外周面１７に設けられている。本実施形態では、扉３４は円盤からなり、その基端部３８がフランジ１２の外周面１６に回動自在に連結されている。この連結部は、扉３４の肉厚寸法が小さく設定されており、これにより、扉３４は、図４おいて実線で示された位置と二点鎖線で示された位置との間で揺動することができるようになっている。扉３４は、上記第１の実施形態に係る釣糸用スプール１０を構成する樹脂と同様の樹脂から構成されるので、扉３４も弾性を備える。したがって、扉３４は、上記実線で示された位置と二点鎖線で示された位置との間で円滑に揺動することができる。また、扉３５は、扉３４と左右対称に形成されており、扉３５の基端部３９がフランジ１３の外周面１７に回動自在に連結されている。扉３５も、図４おいて実線で示された位置と二点鎖線で示された位置との間で揺動することができるようになっている。扉３５も扉３４と同様に弾性を備える。したがって、扉３５は、上記実線で示された位置と二点鎖線で示された位置との間で円滑に揺動することができる。
【００３５】
扉３４及び扉３５が揺動することによって、扉３４、３５の姿勢が変化する。すなわち、扉３４及び扉３５は、両者が互いに接近して先端部同士が当接した姿勢（閉姿勢）と、両者が互いに離反した姿勢（開姿勢）との間で自由に姿勢変化する。扉３４、扉３５が閉姿勢となったときは、各扉３４、３５は、コア１１及びフランジ１２、１３と協働して釣糸収容室２０を区画形成する。この釣糸収容室２０は、コア１１に巻き取られた釣糸を収容する。上記第１の実施形態に係る釣糸用スプール１０と同様に、この釣糸収容室２０は、扉３４、３５が開姿勢となることによって開放される。釣糸収容室２０が開放されることにより、釣糸は、簡単にコア１１に巻き付けられる。
【００３６】
本実施形態では、扉３４、扉３５は、図４が示すように平板状に形成されている。両扉３４、３５が閉姿勢となったときは、これらの先端部同士が釣糸を挟み込むことができる。本実施形態においても、扉３４、扉３５のそれぞれの先端に挟持板２１、挟持板２２が形成されている。この挟持板２１、２２は、扉３４、３５と一体的に形成されている。各挟持板２１、２２は、リング状に形成されており、上記第１の実施形態に係る釣糸用スプール１０と同様に、釣糸を挟持する。
【００３７】
本実施形態に係る釣糸用スプール３０では、上記扉３４、３５が開姿勢に姿勢変化されることにより、釣糸がコア１１の外周面に巻き付けられて釣糸収容室２０内に収容される。このとき、釣糸用スプール３０が駆動軸連結ボス３１を備えているから、この釣糸用スプール３０が既知の釣糸巻取装置にセットされ、釣糸が自動で釣糸用スプール３０に巻き取られる。しかも、コア１１の剛性が高く設定されているから、釣糸は、所定のテンションが付加されながら、コア１１に完全平行巻きが施され得るという利点がある。
【００３８】
釣糸がコア１１に巻き取られると、扉３４、３５は、閉姿勢に姿勢変化される。これにより、釣糸収容室２０が閉塞されると共にコア１１に巻き付けられた釣糸の端部が一対の扉３４、３５によって挟み込まれる。したがって、この釣糸の端部が確実に保持され、当該釣糸が釣糸収容室２０内で絡み合うことが防止される。上記第１の実施形態に係る釣糸用スプール１０と同様に、釣人は、この釣糸の端部を引っ張るだけで、釣糸収容室２０から当該釣糸を所望長さだけ引き出すことができる。また、扉３４、３５が閉姿勢となれば、当該釣糸は、紫外線その他の釣糸を劣化させる要因から保護されるという利点もある。加えて、上記一対の扉３４、３５は、フランジ１２、１３に対して回動するように設けられているだけであるから、この扉３４、３５は、簡単且つ安価に構成され得る。
【００３９】
したがって、本実施形態に係る釣糸用スプール３０によれば、簡単且つ安価に構成される扉３４、３５が釣糸を保護するケースと釣糸の端部を保持する保持具とを兼ねることとなり、その結果、釣糸の保護と釣糸の端部の保持を実現するコスト安価な釣糸用スプールが提供される。
【００４０】
この釣糸用スプール３０においても、上記各フランジ１２、１３が円形に形成され、これら各フランジ１２、１３に設けられた各扉３４、３５が弾性を有する円盤から構成されている。このため、フランジ１２、１３及び扉３４、３５の形状がきわめて簡単であり、したがって、釣糸用スプール３０の製造コストがさらに低減されるという利点がある。さらに、上記コア１１、フランジ１２、１３及び扉３４、３５が樹脂により一体的に成形されているので、釣糸用スプール３０の製造コストは、きわめて低くなる。
【００４１】
特に、上記扉３４、３５は、上記第１の実施形態に係る釣糸用スプール１０の扉１４、１５とは異なり平板状に形成されているから、扉３４、３５がより簡単に形成され得るという利点もある。また、上記第１の実施形態に係る釣糸用スプール１０と同様に、扉３４、３５が閉姿勢となれば、コア１１に巻き取られた釣糸の端部は、自動的に一対の扉３４、３５によって挟持され保持され得る。このとき、釣糸は、一対の扉３４、３５によってソフトに挟持されることとなるから、当該釣糸の端部が損傷を受けることはない。もっとも、本実施形態においても、扉３４、３５が上記第１の実施形態に係る釣糸用スプール１０の扉１４、１５と同様に湾曲されていてもよいことは勿論である。
【００４２】
加えて、本実施形態においても、釣糸用スプール３０が生分解樹脂により構成されていてもよい。前述のように、釣糸がすべて使用された後には、釣糸用スプール３０は、ゴミとして廃棄されるのであるが、上記コア１１、フランジ１２、１３及び扉３４、３５を構成する樹脂として生分解性樹脂が採用された場合には、万一、釣人が釣糸用スプール３０を不注意により釣場に置き忘れてしまった場合等であっても、釣糸用スプール１０が自然界で分解されるので、環境への悪影響は小さいという利点もある。
【産業上の利用可能性】
【００４３】
本発明は、釣糸を巻き取る釣糸用スプールに適用され得る。
【図面の簡単な説明】
【００４４】
【図１】図１は、本発明の第１の実施形態に係る釣糸用スプールの斜視図である。
【図２】図２は、図１におけるII−II断面図であり、
【図３】図３は、本発明の第２の実施形態に係る釣糸用スプールの斜視図である。
【図４】図４は、図３におけるIV−IV断面図である。
【符号の説明】
【００４５】
１０・・・釣糸用スプール
１１・・・コア
１２・・・フランジ
１３・・・フランジ
１４・・・扉
１５・・・扉
１６・・・フランジの外周面
１７・・・フランジの外周面
１８・・・基端部
１９・・・基端部
２０・・・釣糸収容室
２１・・・挟持板
２２・・・挟持板
３０・・・釣糸用スプール
３１・・・駆動軸連結ボス
３２・・・キー溝
３３・・・リブ
３４・・・扉
３５・・・扉
３８・・・基端部
３９・・・基端部
【図１】
2006223127.tif 000003
【図２】
2006223127.tif 000004
【図３】
2006223127.tif 000005
【図４】
2006223127.tif 000006